(57)【要約】【課題】  情報提示画面の切替えの操作性に優れた「入力表示装置および入力表示装置における入力方法ならびに入力プログラム」を提供する。【解決手段】  本発明の入力方法は、ディスプレイに選択可能な複数の項目を有する第１レイヤの検索画面を表示するステップ（Ｓ１０１）と、物体の接触により複数の項目の中からいずれかの項目を選択するステップと（Ｓ１０２）と、ディスプレイから物体が離れることを検出するステップと（Ｓ１０４）、項目の選択と物体が離れることの検出に応答して第１レイヤの検索画面から選択された項目に関連する第２レイヤの検索画面へ表示を切替えるステップ（Ｓ１０５）とを有する。【選択図】  図８
2010092308.tif 000002
【特許請求の範囲】
【請求項１】
入力機能を備えた入力表示装置であって、
ディスプレイと、
ディスプレイに物体が接近したか否かを検出する接近検出手段と、
ディスプレイへの物体の接触位置を検出する接触検出手段と、
少なくとも第１の情報提示画面または第１の情報提示画面に対して階層的な関係にある第２の情報提示画面をディスプレイに表示可能であり、第１の情報提示画面は選択可能な複数の項目を含んでおり、前記複数の項目の中からいずれかの項目が選択されたとき、当該選択された項目に関連する第２の情報提示画面をディスプレイに表示する表示手段とを含み、
前記表示手段は、前記接触検出手段により前記項目が選択され、かつ前記接近検出手段により物体がディスプレイから離れることが検出されたことに応答して第１の情報提示画面から第２の情報提示画面へ表示を切替える、
入力表示装置。
【請求項２】
前記表示手段はさらに、前記接近検出手段により物体がディスプレイに接近したことが検出されたことに応答して第２の情報提示画面から第１の情報提示画面へ表示を切替える、請求項１に記載の入力表示装置。
【請求項３】
入力表示装置はさらに、第２の情報提示画面から第１の情報提示画面へ表示が切替えられたとき、第１の情報提示画面に含まれる特定項目が前記接触検出手段により選択されたことに応答して前記項目の選択完了を決定する決定手段を含む、請求項１または２に記載の入力表示装置。
【請求項４】
入力表示装置はさらに、第１の情報提示画面の表示時間を計測する計測手段と、第２の情報提示画面から第１の情報提示画面へ表示が切替えられ、かつ前記計測手段による計測時間が一定値を超えたことに応答して前記項目の選択完了を決定する決定手段とを含む、請求項１または２に記載の入力表示装置。
【請求項５】
入力機能を備えた入力表示装置における入力方法であって、
ディスプレイに、選択可能な複数の項目を有する第１の情報提示画面を表示するステップと、
物体の接触により前記複数の項目の中からいずれかの項目を選択するステップと、
ディスプレイから物体が離れることを検出するステップと、
前記項目の選択と前記物体が離れることの検出に応答して第１の情報提示画面から前記選択された項目に関連する第２の情報提示画面へ表示を切替えるステップとを有する、入力方法。
【請求項６】
入力方法はさらに、物体がディスプレイに接近したことが検出されたことに応答して第２の情報提示画面から第１の情報提示画面へ表示を切替えるステップを含む、請求項５に記載の入力方法。
【請求項７】
入力方法はさらに、第２の情報提示画面から第１の情報提示画面へ表示が切替えられたとき、第１の情報提示画面に含まれる特定項目が物体の接触により選択されたことに応答して前記項目の選択完了を決定するステップを含む、請求項５または６に記載の入力方法。
【請求項８】
入力方法はさらに、第１の情報提示画面の表示時間を計測するステップと、第２の情報提示画面から第１の情報提示画面へ表示が切替えられ、かつ前記計測時間が一定値を超えたことに応答して前記項目の選択完了を決定するステップとを含む、請求項５または６に記載の入力方法。
【請求項９】
入力機能を備えた入力表示装置における入力プログラムであって、
ディスプレイに、選択可能な複数の項目を有する第１の情報提示画面を表示するステップと、
物体の接触により前記複数の項目の中からいずれかの項目を選択するステップと、
ディスプレイから物体が離れることを検出するステップと、
前記項目の選択と前記物体が離れることの検出に応答して第１の情報提示画面から前記選択された項目に関連する第２の情報提示画面へ表示を切替えるステップとを有する、入力プログラム。
【請求項１０】
入力プログラムはさらに、物体がディスプレイに接近したことが検出されたことに応答して第２の情報提示画面から第１の情報提示画面へ表示を切替えるステップを含む、請求項９に記載の入力プログラム。
【請求項１１】
入力プログラムはさらに、第２の情報提示画面から第１の情報提示画面へ表示が切替えられたとき、第１の情報提示画面に含まれる特定項目が物体の接触により選択されたことに応答して前記項目の選択完了を決定するステップを含む、請求項９または１０に記載の入力プログラム。
【請求項１２】
入力プログラムはさらに、第１の情報提示画面の表示時間を計測するステップと、第２の情報提示画面から第１の情報提示画面へ表示が切替えられ、かつ前記計測時間が一定値を超えたことに応答して前記項目の選択完了を決定するステップとを含む、請求項９または１０に記載の入力プログラム。
【発明の詳細な説明】
【技術分野】
【０００１】
本発明は、入力表示装置および入力表示装置における入力方法ならびに入力プログラムに関し、特に、タッチパネルにより情報の選択的な入力を可能にする入力表示装置に関する。
【背景技術】
【０００２】
タッチパネルは、液晶ディスプレイのような表示機能と、座標位置を入力する入力機能とを組み合わせた入力表示装置である。座標位置を入力する方法には、静電方式や感圧式などを用いたものがある。座標位置を感知する領域に対応させて入力ボタンや選択項目を表示し、ユーザが入力ボタンや選択項目を押すことにより入力を可能にする。このようなタッチパネルは、カーナビゲーション装置、銀行ＡＴＭ、自動販売機などの入力表示装置として多用されている。
【０００３】
特許文献１は、画像表示装置に関し、タッチパネルへのユーザの指の接近を検出するセンサを含み、指の接近が検出されるとディスプレイに操作可能なメニューを表示する技術を開示している。特許文献２は、タッチパネル装置に関し、ユーザの指やスタイラスペン等の操作手段の接触面積を記憶し、タッチパネルとユーザの指までの距離を検出し、タッチパネルから指までの距離が一定距離以内になると、操作ボタンの表示面積と指の接触面積を比較し、指の接触面積が操作ボタンの表示面積よりも大きければ、操作ボタンを拡大表示する技術を開示している。
【０００４】
【特許文献１】特開２００２−３５８１６２号公報
【特許文献２】特開２００６−８５２１８号公報
【発明の開示】
【発明が解決しようとする課題】
【０００５】
従来の車載ナビゲーションシステムにおいて、施設検索や住所検索を行った際に、該当する施設や住所を一覧表示することが多く、一覧表示された施設や住所が選択された場合、検索画面の一部に選択された施設や住所の地図を表示するものがある。図１は、このような検索画面の表示例を示している。検索画面１には、検索地名「ＡＢ市」２と、検索施設名「ファーストフード」３と、検索された複数の項目の一覧リスト４と、一覧リスト４の中から選択された項目に対応する地図を表示する地図表示５と、項目４の選択完了を入力する決定ボタン６が表示されている。一覧リスト４の項目や決定ボタン６は、タッチパネルによって接触（タッチ）することによって選択される。
【０００６】
地図表示５は、画面の一部に選択された施設や住所の地図を表示しているが、表示領域が限られているため、画面全体に施設や住所の全体周辺図を表示するのに比べて位置関係を把握することが難しい。このため、図１の決定ボタン６を選択すると、図２に示すような詳細画面７に表示が切替わるようになっている。しかし、詳細画面７において選択された施設や住所の位置関係を把握することができたとしても、そこがユーザの目的の場所でなかった場合、再び、図１に示す検索画面１に戻り、再度、別の施設や住所の項目を選択する必要があり、操作が煩雑になる。
【０００７】
例えば、検索画面１において、一覧リスト４の項目４ａ（図中ハッチングで表示）を選択した状態から、図２に示す詳細画面７を表示させるには、ユーザは決定ボタン６にタッチする。次に、詳細画面７において、目的地が異なる場合には、リターンボタン８をタッチし、検索画面１に戻る。そこで、他の項目４ｂをタッチすると、地図表示５には、項目４ｂの地図が表示され、次いでユーザが決定ボタン６をタッチすると、項目４ｂの詳細画面に切替わる。ここで目的地設定ボタン９をタッチすると、項目４ｂが目的地に設定される。このように、２回目に選択した施設を目的地とする場合、目的地の設定を行うまで、５回ものタッチ操作が必要となる。このように、従来のタッチパネルを用いた入力装置では、目的地を設定するまでの選択(総操作)回数が多く、タスク完了までのコストがかかるという問題がある。ここでのタスク完了とは、ユーザの操作が完了することの意であり、上記の例であれば、目的地設定の操作が完了することである。また、コストとは、ユーザが選択(操作)した回数の意である。
【０００８】
本発明は、このような従来の課題を解決するものであり、情報提示画面の切替えの操作性に優れた入力表示装置および入力表示装置における入力方法ならびに入力プログラムを提供することを目的とする。
【課題を解決するための手段】
【０００９】
本発明に係る入力表示装置は、入力機能を備えたものであって、ディスプレイと、ディスプレイに物体が接近したか否かを検出する接近検出手段と、ディスプレイへの物体の接触位置を検出する接触検出手段と、少なくとも第１の情報提示画面または第１の情報提示画面に対して階層的な関係にある第２の情報提示画面をディスプレイに表示可能であり、第１の情報提示画面は選択可能な複数の項目を含んでおり、前記複数の項目の中からいずれかの項目が選択されたとき、当該選択された項目に関連する第２の情報提示画面をディスプレイに表示する表示手段とを含み、前記表示手段は、前記接触検出手段により前記項目が選択され、かつ前記接近検出手段により物体がディスプレイから離れることが検出されたことに応答して第１の情報提示画面から第２の情報提示画面へ表示を切替える。
【００１０】
前記表示手段はさらに、前記接近検出手段により物体がディスプレイに接近したことが検出されたことに応答して第２の情報提示画面から第１の情報提示画面へ表示を切替えることができる。
【００１１】
好ましくは入力表示装置はさらに、第２の情報提示画面から第１の情報提示画面へ表示が切替えられたとき、第１の情報提示画面に含まれる特定項目が前記接触検出手段により選択されたことに応答して前記項目の選択完了を決定する決定手段を含む。入力表示装置はさらに、第１の情報提示画面の表示時間を計測する計測手段と、第２の情報提示画面から第１の情報提示画面へ表示が切替えられ、かつ前記計測手段による計測時間が一定値を超えたことに応答して前記項目の選択完了を決定する決定手段とを含むことができる。
【００１２】
本発明に係る入力機能を備えた入力表示装置における選択項目の入力方法またはプログラム方法は、ディスプレイに、選択可能な複数の項目を有する第１の情報提示画面を表示するステップと、物体の接触により前記複数の項目の中からいずれかの項目を選択するステップと、ディスプレイから物体が離れることを検出するステップと、前記項目の選択と前記物体が離れることの検出に応答して第１の情報提示画面から前記選択された項目に関連する第２の情報提示画面へ表示を切替えるステップとを有する。
【発明の効果】
【００１３】
本発明によれば、接触検出手段とディスプレイへの物体の接近または離間を検出する接近検出手段とを併用することで、従来よりも少ない操作回数で情報提示画面の切替えを行うことができる。これにより、タスク完了までのコストの低減を図ることができる。
【発明を実施するための最良の形態】
【００１４】
本発明の最良の実施の形態について図面を参照して詳細に説明する。本実施の形態では、入力表示装置をナビゲーションシステム（第１の実施例）や番組検索装置（第２の実施例）に適用した例を説明する。
【実施例】
【００１５】
図３は、本発明の実施例に係る入力表示装置の構成を示すブロック図である。入力表示装置１０は、ナビゲーション画面、検索画面などの情報提示画面等を表示するディスプレイ２０と、物体（好ましくはユーザの指やその他の操作ペンなど）がディスプレイ２０に接触した座標位置を検出する接触検出部３０と、物体がディスプレイ２０に接近することおよびディスプレイ２０から離れることを検出する接近検出部４０と、ディスプレイ２０に表示するための情報やその他のデータを記憶する記憶部５０と、各部を制御する制御部６０とを含んで構成される。制御部６０は、例えば、プログラムを格納したメモリと、当該プログラムを実行する処理装置を含み、プログラムは、入力表示装置における入力を制御する入力制御プログラムを含んでいる。さらに制御部６０は、目的地までの経路を探索したり自車位置周辺の道路地図を表示させて道路案内を行うナビゲーション機能部７０と接続され、ナビゲーション機能部７０からナビゲーションに必要な情報を取得したり、入力表示装置１０で入力された情報をナビゲーション機能部７０へ提供する。
【００１６】
接触検出部３０は、好ましくは公知のタッチパネルによって構成される。図４は、タッチパネルの構成例を示す図である。例えばディスプレイの液晶パネルに、施設ジャンルに応じた検索画面が表示されるものとする。検索画面には、「ジャンルを選択してください」のメッセージ欄１００と、一覧リスト１１０には、複数のジャンルに対応する項目１１０ａ〜１１０ｇが表示される。各項目１１０ａ〜１１０ｇが１画面に表示できないときには、それらはスクロール表示される。
【００１７】
タッチパネル１２０は、液晶パネルに対応したサイズを有しており、例えば、横軸がｘ１からｘ９のセグメントに等間隔で分割され、縦軸がｙ１からｙ９のセグメントに等間隔で分割され、ｘ１、・・・ｘ９とｙ１・・・ｙ９の各セグメントによって囲まれた領域に物体が接触されたことを検出する。一覧リスト１１０の７つの項目１１０ａ〜１００ｇは、ｘ３からｘ７までのセグメント幅を有し、１つの項目の高さは、ｙ方向の１つのセグメントの大きさに等しい。こうして１つの項目は、４つの座標位置によって囲まれた領域として特定される。例えば、ユーザの指が位置Ｐ（ｘ６、ｙ６．５）に触れたとき、接触検出部（タッチパネル）３０は、当該領域が接触されたことを示す座標位置情報を制御部６０へ出力する。制御部６０は、この座標位置情報に基づき項目１１０ｂの「飲食店」が選択されたと判定する。
【００１８】
接近検出部４０は、例えば赤外線を発光する発光素子とそれから発光された光を受光する受光素子とを対にした複数対の発光素子と受光素子とから構成される。図５（ａ）は、ディスプレイの概略正面図であり、図５（ｂ）はＡ―Ａ線断面図である。ディスプレイ２０は、液晶パネル２０ａと、その上に配された透過式のタッチパネル１２０と、これらを固定する矩形状のフレーム１３０とを含んで構成される。タッチパネル１２０のＸ軸、Ｙ軸に沿って複数の発光素子Ｅａ、Ｅｂ、・・・Ｅｇが配置され、さらにこれらの発光素子と対向する側に複数の受光素子Ｒａ、Ｒｂ、・・・Ｒｇが配置される。これにより、ディスプレイ表面にマトリクス状の走査線が形成される。
【００１９】
図６は、赤外線受光量から指の接近等を判定するときの判定例である。指がディスプレイ２０から所定距離にあるときに受光素子が受光する光量をしきい値として設定する。受光量がしきい値以下であれば指は接近しており、受光素子の出力信号は論理Ｌである。受光量がしきい値よりも大きければ指は離間しており、受光素子の出力信号は論理Ｈである。これらの受光素子の出力信号は、制御部６０へ供給される。制御部６０は、図６（ｂ）に示すように、受光素子の出力信号が論理ＬからＨへ遷移したとき、指がディスプレイから離れる方向へ移動したと判定し、出力信号が論理ＨからＬに遷移したとき、指がディスプレイに接近したと判定する。
【００２０】
図７は、検索画面を構成するデータ構造の一例を示す図である。検索画面を構成するデータ１４０は、階層的にリンクされた複数のデータ列から構成される。同図に示す例では、データ１４０は、交通機関、飲食店、・・・娯楽施設等の複数の項目からなる第１レイヤのデータ１４２と、第１レイヤのデータ１４２の各個目に関連した情報や項目を含む第２レイヤのデータ１４４と、同様に第３、第４、第５のレイヤのデータ１４６、１４８、１５０を含んで構成される。例えば、第１レイヤのデータ１４２の「飲食店」が選択されると、飲食店に関する第２レイヤのデータ１４４が選択される。第２レイヤのデータ１４４は、飲食店に関する情報やさらにその下層の第３のレイヤのデータにリンクする項目（レストラン、ファミリーレストラン、ファーストフード等）を含んでいる。なお、最下層である第５のレイヤのデータ１５０は、選択可能な項目を含まず、単なる情報を提示する画面となるが、ここでは、そのような情報を提示する画面も含めて検索画面とする。
【００２１】
制御部６０は、ユーザからの入力によりあるいはナビゲーション機能部７０からの指示に応答して、記憶部５０から検索画面のデータ１４０を読出し、これらをディスプレイ２０へ表示させる。制御部６０はさらに、これらの検索画面を表示するときには、検索画面の各項目に対応する入力判定マップを有し、接触検出部３０からの座標位置情報と入力判定マップとを比較し、どの項目が選択されたのかを判定する。
【００２２】
次に、本実施例の入力表示装置の動作を図８に示すフローチャートを参照して説明する。先ず、制御部６０は、ディスプレイ２０に、選択可能な複数の項目を有する第１レイヤの検索画面を表示する（ステップＳ１０１）。接触検出部３０は、第１レイヤの検索画面の複数の項目のいずれかの項目がユーザの指によって接触されたか否かを検出する（ステップＳ１０２）。接触検出部３０は、指の接触を検出すると、その座標位置情報を制御部６０に出力する。
【００２３】
制御部６０は、座標位置情報に基づき、どの項目が選択されたかを判定する（ステップＳ１０３）。このとき、ユーザの指はタッチパネルに接触しているので、接近検出部４０または受光素子の出力信号は論理Ｌである。制御部６０は、接近検出部４０の出力信号が論理ＬからＨへ遷移したか否かを監視する（ステップＳ１０４）。論理ＬからＨへ遷移したことが検出されると、制御部６０は、指がディスプレイから離れる方向に移動したと判定し、第１レイヤの検索画面で選択された項目に関連する第２レイヤの検索画面のデータを記憶部５０から読出し、これをディスプレイ２０に表示する（ステップＳ１０５）。
【００２４】
第２レイヤの検索画面が表示されたとき、指はディスプレイから離れており、接近検出部４０の出力信号は論理Ｈの状態にある。引き続き、制御部６０は、接近検出部４０の出力信号が論理ＨからＬへ遷移したか否かを監視する（ステップＳ１０６）。論理ＨからＬ遷移したことが検出されたとき、制御部６０は、指がディスプレイ２０へ接近したと判定し、第１レイヤの検索画面をディスプレイ２０に表示する（ステップＳ１０７）。制御部６０は、第１レイヤの検索画面において指が決定ボタンに接触したか否かを監視し（ステップＳ１０８）、決定ボタンへの接触が検出されたとき、第１レイヤの検索画面における項目の選択が完了したと判定する（ステップＳ１０９）。
【００２５】
次に、制御部６０は、ユーザのタスクが完了したか否かを判定する。タスク完了か否かは、第２レイヤの検索画面が第３レイヤの検索画面を選択するための項目を含むか否かによって行われる。タスクが完了していなければ、第２レイヤの検索画面と第３レイヤの検索画面の表示切替が上記と同様にして行われる。タスク完了であれば、制御部６０は、選択された項目の内容を実行する。
【００２６】
タスク完了か否かの判定は、これ以外にも、例えば検索画面にタスク完了を識別可能な入力ボタンを設定し、当該入力ボタンが選択されたときにタスク完了とするようにしてもよい。
【００２７】
また、上記ステップＳ１０８では、決定ボタンが選択されたことに応答して、検索画面の項目の選択が完了したと判定したが、必ずしも決定ボタンの選択による必要はない。例えば、第２レイヤの検索画面から第１レイヤの検索画面に表示が切替わったとき、当該切替わりの時点から一定時間を経過してもユーザの入力がないときは、自動的に項目の選択が完了したものと判定しても良い。
【００２８】
図９は、ナビゲーションシステムにおける目的地を検索するときの検索画面の例である。図１で説明した検索画面と同一構成については同一参照番号を付してある。本実施例の検索画面１Ａには、従来の検索画面１に含まれる決定ボタン６がない。本実施例の検索画面１Ａの項目において、ユーザが指が「ハンバーガーショップＢＢＢ  ｂｂ支店」（ハッチングで表示）４ａに接触されると、地図表示５にその地図が表示される。そして、指がディスプレイから離れると、それに応答して、ディスプレイの表示は、検索画面１Ａから図１０に示すような詳細画面７Ａに切替わる。本実施例の詳細画面７Ａには、選択した項目の全体地図が表示され、さらに候補地の名称や自車位置から候補地までの距離も併せて表示される。本実施例の詳細画面７Ａには、図２に示す詳細画面と異なり、目的地設定ボタンおよびリターンボタンがない。従って、これらのボタン表示に隠されることなく、全体の地図を画面全体に表示することができる。
【００２９】
詳細画面７Ａを確認した結果、目的地候補がユーザの希望と異なるとき、ユーザは、指をディスプレイに向けて接近させる。これに応答して、ディスプレイの表示は、図９に示す検索画面１Ａに切替わる。そして、一覧リスト４の中から項目４ｂを選択し、指がディスプレイから離れると、詳細画面７Ａが表示され、目的地候補がユーザの希望と一致するとき、ユーザは指をディスプレイに接近させ、これに応答してディスプレイには検索画面１Ａが表示される。そして、目的地設定ボタン１６０を選択することで、タスク完了と判定され、目的地の設定が完了する。
【００３０】
上記のように目的地の選択を２回変更するとき、従来システムでは、５回の選択（画面タッチ）が必要であったが、本実施例では、２回の選択ですむことになる。このように、本実施例の接触検出部と接近検出部とを併用することで、従来よりも少ない操作回数でタスク完了を行うことができる。
【００３１】
次に、本発明の第２の実施例について説明する。第２の実施例は、入力表示装置を車載用電子装置の番組情報表示に適用したものである。車載用電子装置は、地上波デジタル放送等を受信する受信部を含み、受信した放送信号には、各放送局の電子番組表（以下、ＥＰＧと称す）が含まれている。ＥＰＧには、少なくとも、放送されている番組一覧を表示する番組検索画面２００と、番組検索画面２００で選択された番組に関する詳細な情報を提示する番組詳細画面２２０が含まれている。
【００３２】
図１１は、番組検索画面の表示例である。番組検索画面２００は、番組放送時間を示す時間帯欄２０２と、番組ジャンルを示すジャンル欄２０４と、複数の番組項目を表示する一覧リスト２０６と、選択された番組項目の番組内容などを表示する情報表示２０８と、決定ボタン２１０とを含む。一覧リスト２０６から希望する番組項目をタッチして選択すると、情報表示２０８にその内容が表示される。さらに、ユーザの指がディスプレイ２０から離れたと判定されると、ディスプレイ２０の表示は、選択した番組項目に関連する番組詳細画面２２０に自動的に切替わる
【００３３】
図１２は、番組詳細画面の表示例である。番組詳細画面２２０は、例えば選択した番組を提供する放送局情報、放送時間帯、番組内容、番組のジャンルなどを記載した情報表示領域２２２を含む。例えば、情報表示領域２２２には、放送局情報に「１ｃｈ  ○○○放送」、放送時間帯に「毎週月曜日〜金曜日  １５：０５」、番組内容に「首都圏の最新の空模様をお伝えします」、番組のジャンルに「ニュース・気象情報」などが表示される。表示内容を確認した結果、希望する番組ではなかったとき、ユーザは指をディスプレイに接近させる。制御部６０は、この接近に応答して、ディスプレイ２０の表示を再び番組検索画面２００切替える。そして、番組項目の選択を完了する場合には、決定ボタン２１０を選択する。あるいは一定時間内にユーザ入力がなかった場合には、選択が完了したと判定する。
【００３４】
このように第２の実施例によれば、入力表示装置１０を車載用電子装置に適用することで、番組検索画面２００と番組詳細画面２２０との表示切替を容易に行うことができる。
【００３５】
以上、本発明の好ましい実施の形態について詳述したが、本発明は、特定の実施形態に限定されるものではなく、特許請求の範囲に記載された本発明の要旨の範囲内において、種々の変形・変更が可能である。上記実施例では、目的地の検索や放送番組検索の例を示したが、これ以外の種々の情報を選択的に入力する入力装置に適用することができる。
【図面の簡単な説明】
【００３６】
【図１】従来のナビゲーションシステムの検索画面の表示例である。
【図２】図１の検索画面から全体表示画面へ切替えたときの表示例である。
【図３】本発明の実施例に係る入力表示装置の構成例を示すブロック図である。
【図４】接触検出部を構成するタッチパネルの例を示す図である。
【図５】同図（ａ）はディスプレイの概略平面図、同図（ｂ）はＡ−Ａ線断面図である。
【図６】同図（ａ）は受光素子の状態の判定例、同図（ｂ）は接近または離間の判定例を示す図である。
【図７】検索画面を構成するデータの例を示す図である。
【図８】本発明の実施例に係る入力表示装置の動作をフローチャートである。
【図９】本実施例に係る検索画面の表示例である。
【図１０】本実施例に係る詳細画面の表示例である。
【図１１】第２の実施例に係る番組検索画面の例である。
【図１２】第２の実施例に係る番組詳細画面の例である。
【符号の説明】
【００３７】
１、１Ａ：検索画面                  ４：一覧リスト
４ａ、４ｂ：項目                    ７、７Ａ：詳細地図
１０：入力表示装置                  ２０：ディスプレイ
３０：接触検出部                    ４０：接近検出部
５０：記憶部                        ６０：制御部
【図１】
2010092308.tif 000003
【図２】
2010092308.tif 000004
【図３】
2010092308.tif 000005
【図４】
2010092308.tif 000006
【図５】
2010092308.tif 000007
【図６】
2010092308.tif 000008
【図７】
2010092308.tif 000009
【図８】
2010092308.tif 000010
【図９】
2010092308.tif 000011
【図１０】
2010092308.tif 000012
【図１１】
2010092308.tif 000013
【図１２】
2010092308.tif 000014